(57)【要約】【課題】消費電力を低減すると共に処理速度を向上させる。【解決手段】キーインタフェース回路１１では、判定回路が、キー操作部９の操作キーのうちいずれかの操作キーの押下が検出されると、キースキャン回路に対してスキャニング処理を行わせ、押下された操作キーを特定し、第１ＣＰＵインタフェース回路及び第２ＣＰＵインタフェース回路から取得したキーマスク情報に基づいて、押下されたキーがマスク設定された操作キーであるか否か判定し、押下された操作キーがマスクキーに該当しない場合には、第１ＣＰＵインタフェース回路及び第２ＣＰＵインタフェース回路に割り込み信号送信を促し、対応するキー情報を送信すると共に、押下された操作キーがマスクキーに該当する場合には、対応する制御部へのキー情報の送信を停止する。【選択図】図１
2005215804.tif 000002
【特許請求の範囲】
【請求項１】
電子機器を構成し各種のキースイッチを有するキー入力手段と、前記電子機器本体の構成各部を制御する複数の制御手段との間に介在し、前記キー入力手段から前記キースイッチのオン／オフ情報を受け取って、操作された前記キースイッチのキー情報を前記制御手段に送信するキーインタフェース回路であって、
前記制御手段毎に予め設定され、操作無効とされるキースイッチが定められたキーマスク情報に基づいて、操作された前記キースイッチが前記各制御手段にとって操作無効とされるマスクキーであるか否かを判定し、操作された前記キースイッチが、前記マスクキーとされている前記制御手段への操作された前記キースイッチのキー情報の送信を停止する判定手段を備えてなることを特徴とするキーインタフェース回路。
【請求項２】
前記キーマスク情報を記憶するマスク情報記憶手段を備えたことを特徴とする請求項１記載のキーインタフェース回路。
【請求項３】
前記判定手段は、操作された前記キースイッチがいずれの前記制御手段にとってもマスクキーでないと判定した場合に、操作された前記キースイッチのキー情報を全ての前記制御手段へ送信することを特徴とする請求項１又は２記載のキーインタフェース回路。
【請求項４】
操作された前記キースイッチを検出するためのキースキャン回路を備えたことを特徴とする請求項１、２又は３記載のキーインタフェース回路。
【請求項５】
前記キーマスク情報は、連続した前記キースイッチの組合せを含むことを特徴とする請求項１乃至４のいずれか１に記載のキーインタフェース回路。
【請求項６】
前記電子機器は携帯電話機であることを特徴とする請求項１乃至５のいずれか１に記載のキーインタフェース回路。
【請求項７】
請求項１乃至６のいずれか１に記載のキーインタフェース回路と、複数の制御手段と、各種のキースイッチを有するキー入力手段とを備えたことを特徴とするキーインタフェース回路を備えた電子機器。
【発明の詳細な説明】
【技術分野】
【０００１】
この発明は、キーインタフェース回路及び該キーインタフェース回路を備えた電子機器に係り、複数のＣＰＵを有する例えば携帯電話機等の携帯端末に搭載されるキーインタフェース回路及び該キーインタフェース回路を備えた電子機器に関する。
【背景技術】
【０００２】
近年、携帯電話機等の携帯端末においては、多機能化が進み、データ処理量の増大化に伴って、ＣＰＵが２つ設けられて、各ＣＰＵで機能分担が行われるようになっている。
このような携帯電話機１０１は、例えば、図５に示すように、第１ＣＰＵ１０２及び第２ＣＰＵ１０３と、第１ＣＰＵ１０２及び第２ＣＰＵ１０３が実行する処理プログラムや各種データ等を記憶するための記憶部１０４と、電波の送受信を行うアンテナ１０５と、アンテナ１０５を介して無線電波の送受信を行い、所定のプロトコルに従って通話やデータ通信を行うために用いられる無線通信部１０６と、数字や文字の入力操作等を行うための多数の各種操作キー等からなるキー操作部１０７と、押下された操作キーを検出するためのキースキャン回路１０８と、液晶表示装置からなり例えば待受画面や機能設定画面等が表示される表示部１０９と、受話音声を出力する受話部１１０と、音声を入力するための送話部１１１とを備えてなっている。
【０００３】
ここで、両ＣＰＵ１０２，１０３のうち、いずれか一方のＣＰＵ１０２（１０３）が、キースキャン回路１０８にキースキャンを行わせる制御を実行するように設定される（例えば、特許文献１参照。）。
キー操作部１０７のうちのいずれか１つの操作キーが押下された場合、通常は、両ＣＰＵ１０２，１０３へ同時に操作キーのキー情報が送信される。
また、両ＣＰＵ１０２，１０３のいずれか一方のＣＰＵで、操作無効とするマスクキーを設定している場合で、押下された操作キーがこれに該当するときは、マスクキーが設定されたＣＰＵ１０２（１０３）へのキー情報の送信が行われず、キー入力があったとしても、ＣＰＵ１０２（１０３）は、休止状態（スリープ状態）を保つ。これによって、消費電力の低減が図られる
【特許文献１】特開昭６２−４７７２６号公報
【発明の開示】
【発明が解決しようとする課題】
【０００４】
解決しようとする第１の問題点は、上記従来技術では、キースキャンを行わない他方のＣＰＵ１０３（１０２）のみにとって必要なキー情報（マスクされていない操作キーのキー情報）を取り込む場合であっても、一方のＣＰＵ１０２（１０３）はキースキャンを行わせるために起動させる必要があり、無駄な動作のために消費電力を浪費するという点である。
また、第２の問題点は、押下されたキーのキー情報を取り込む場合に、ＣＰＵ１０２，１０３間で通信を行う必要があり、これによって、処理速度が遅くなるという点である。
【０００５】
この発明は、上述の事情に鑑みてなされたもので、各制御手段に無用な制御処理を実行させずに、消費電力の低減に寄与することができるキーインタフェース回路及び該キーインタフェース回路を備えた電子機器を提供することを第１の目的としている。
また、制御手段の処理速度の向上に寄与することができるキーインタフェース回路及び該キーインタフェース回路を備えた電子機器を提供することを第２の目的としている。
【課題を解決するための手段】
【０００６】
上記課題を解決するために、請求項１記載の発明は、電子機器を構成し各種のキースイッチを有するキー入力手段と、上記電子機器本体の構成各部を制御する複数の制御手段との間に介在し、上記キー入力手段から上記キースイッチのオン／オフ情報を受け取って、操作された上記キースイッチのキー情報を上記制御手段に送信するキーインタフェース回路に係り、上記制御手段毎に予め設定され、操作無効とされるキースイッチが定められたキーマスク情報に基づいて、操作された上記キースイッチが上記各制御手段にとって操作無効とされるマスクキーであるか否かを判定し、操作された上記キースイッチが、上記マスクキーとされている上記制御手段への操作された上記キースイッチのキー情報の送信を停止する判定手段を備えてなることを特徴としている。
【０００７】
また、請求項２記載の発明は、請求項１記載のキーインタフェース回路に係り、上記キーマスク情報を記憶するマスク情報記憶手段を備えたことを特徴としている。
【０００８】
また、請求項３記載の発明は、請求項１又は２記載のキーインタフェース回路に係り、上記判定手段は、操作された上記キースイッチがいずれの上記制御手段にとってもマスクキーでないと判定した場合に、操作された上記キースイッチのキー情報を全ての上記制御手段へ送信することを特徴としている。
【０００９】
また、請求項４記載の発明は、請求項１、２又は３記載のキーインタフェース回路に係り、操作された上記キースイッチを検出するためのキースキャン回路を備えたことを特徴としている。
【００１０】
また、請求項５記載の発明は、請求項１乃至４のいずれか１に記載のキーインタフェース回路に係り、上記キーマスク情報は、連続した上記キースイッチの組合せを含むことを特徴としている。
【００１１】
また、請求項６記載の発明は、請求項１乃至５のいずれか１に記載のキーインタフェース回路に係り、上記電子機器は携帯電話機であることを特徴としている。
【００１２】
また、請求項７記載の発明に係るキーインタフェース回路を備えた電子機器は、請求項１乃至６のいずれか１に記載のキーインタフェース回路と、複数の制御手段と、各種のキースイッチを有するキー入力手段とを備えたことを特徴としている。
【発明の効果】
【００１３】
この発明の構成によれば、判定手段が、制御手段毎に予め設定されたキーマスク情報に基づいて、操作されたキースイッチが各制御手段にとって操作無効とされるマスクキーであるか否かを判定し、操作されたキースイッチが、マスクキーとされている所定の制御手段への操作されたキースイッチのキー情報の送信を停止するので、所定の制御手段で、マスクキーを設定している場合で、操作されたキースイッチがこれに該当するときは、キー入力があったとしても、上記所定の制御手段は、休止状態（スリープ状態）を保つことができ、この制御手段に無用な制御処理を実行させることがないので、消費電力の低減に寄与することができる。
また、制御手段が、操作されたキースイッチのキー情報を取り込む際に、制御手段間でこのための通信を行う必要がないので、制御手段の処理速度の向上に寄与することができる。
【発明を実施するための最良の形態】
【００１４】
判定手段が、制御手段毎に予め設定されたキーマスク情報に基づいて、操作されたキースイッチが各制御手段にとって操作無効とされるマスクキーであるか否かを判定し、操作されたキースイッチが、マスクキーとされている所定の制御手段への操作されたキースイッチのキー情報の送信を停止することによって、所定の制御手段で、マスクキーを設定している場合で、操作されたキースイッチがこれに該当するときは、キー入力があったとしても、上記所定の制御手段は、休止状態（スリープ状態）を保つことができ、この制御手段に無用な制御処理を実行させることがなく、消費電力の低減に寄与するという第１の目的を実現した。
また、制御手段が、操作されたキースイッチのキー情報を取り込む際に、制御手段間でこのための通信を行う必要がないことにより、制御手段の処理速度の向上に寄与するという第２の目的を実現した。
【実施例】
【００１５】
図１は、この発明の一実施例に係る携帯電話機の構成を示すブロック図、図２は、同携帯電話機のキーインタフェース回路の構成を示すブロック図、図３は、同携帯電話機の構成を示す斜視図、また、図４は、同キーインタフェース回路の動作を説明するためのフローチャートである。
【００１６】
この例の携帯電話機（電子機器）１は、図１及び図３に示すように、折畳可能な筐体２を備え、図１及び図２に示すように、当該携帯電話機本体の構成各部を制御する第１制御部（制御手段）３及び第２制御部（制御手段）４と、第１制御部３及び第２制御部４が実行する処理プログラムや各種データ等を記憶するための記憶部５と、電波の送受信を行うアンテナ７と、アンテナ７を介して無線電波の送受信を行い、所定のプロトコルに従って通話やデータ通信を行うために用いられる無線通信部８と、数字や文字の入力操作等を行うための多数の各種操作キー等からなるキー操作部９と、押下された操作キーを検出し、対応するキー情報を第１制御部３又は／及び第２制御部４に送信するキーインタフェース回路１１と、折畳時に内側となる側に配設され液晶表示装置からなり例えば待受画面や機能設定画面等が表示される主表示部１２と、折畳時に外側となる側に配設され液晶表示装置からなる補助表示部１３と、受話音声出力用スピーカからなる受話部１４と、音声入力用のマイクロフォンからなる送話部１５と、着信時に着信音を発生するリンガ発生用スピーカ１６とを備えてなっている。
【００１７】
筐体２は、図３に示すように、ヒンジ部２１で相互に結合された上側筐体２２と下側筐体２３とからなり、ヒンジ部２１は、上側筐体２２と下側筐体２３とを回転自在に結合して当該携帯電話機１に折畳可能な構造を付与している。
第１制御部３及び第２制御部４は、共にＣＰＵ（中央処理装置）等からなり、記憶部５に記憶された各種処理プログラムを実行し、記憶部５に確保された各種レジスタやフラグを用いて、構成各部を制御し各種制御処理を実行する。
この例では、第１制御部３は、例えば、操作制御処理や通信制御処理等を行う。また、第２制御部４は、例えば、操作制御処理や表示制御処理等を行う。
【００１８】
記憶部５は、ＲＯＭ、ＲＡＭ等の半導体メモリからなり、第１制御部３、第２制御部４が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部５には、第１制御部３、第２制御部４がプログラム実行時に用いる各種レジスタやフラグが確保されている。
【００１９】
上記プログラム記憶領域に記憶された操作制御プログラムには、キー操作部９の各種操作キーからの入力情報を処理するための手順が記述されている。
また、通信制御処理プログラムには、例えば、所定の電話番号に対する発呼処理等を行うための手順が記述されている。
また、表示制御処理プログラムには、例えば、主表示部１２の画面上に操作メニューやカーソルを表示させるための手順が記述されている。
【００２０】
無線通信部８は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
キー操作部９は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部１２に表示された表示画面上のカーソルを上下左右方向へ移動させるためのカーソルキーと、例えば数字等を入力するためのテンキー群とを有している。
【００２１】
キーインタフェース回路１１は、押下された操作キーを検出し、通常は、対応するキー情報を第１制御部３及び第２制御部４に送信するとともに、押下された操作キーが、予めマスク設定された（無効扱いとされた）操作キーであった場合には、該当する第１制御部３又は／及び第２制御部４へのキー情報の送信を停止する。
このキーインタフェース回路１１は、キー操作部９の操作キーのうちいずれか１つの操作キーの押下が検出された場合に、スキャニング処理を行って、押下された操作キーを特定するために設けられるキースキャン回路３１と、スキャニング処理結果に基づいて、押下された操作キーを特定するとともに、この押下された操作キーが、予めマスク設定された操作キーであるか否か判定し、キー情報の送信制御を行う判定回路（判定手段）３２と、レジスタ（マスク情報記憶手段）に記憶されたマスク情報を要求に応じて判定回路３２に供給し、判定回路３２からキー情報を受け取ると、それぞれ、第１制御部３、第２制御部４に対して割り込み信号を供給して、キー情報を送信する第１ＣＰＵインタフェース回路３３及び第２ＣＰＵインタフェース回路３４とを有している。
【００２２】
判定回路３２は、いずれかの操作キーの押下が検出されると、キースキャン回路３１に対してスキャニング処理を行わせるスキャニング制御処理と、押下された操作キーを特定するキー特定処理と、第１ＣＰＵインタフェース回路３３及び第２ＣＰＵインタフェース回路３４からキーマスク情報を取得するキーマスク情報取得処理と、キーマスク情報に基づいて、マスク設定された操作キーであるか否か判定するマスクキー判定処理と、押下された操作キーがマスクキーに該当しない場合には、第１ＣＰＵインタフェース回路３３や第２ＣＰＵインタフェース回路３４に割込信号の送信を促し、対応するキー情報を送信すると共に、押下された操作キーがマスクキーに該当する場合には、キー情報の送信を停止するキー情報送信制御処理とを実行する。
【００２３】
第１ＣＰＵインタフェース回路３３のレジスタには、予めキー操作部９を用いて設定され、第１制御部３にとってマスクすべき（操作無効とすべき）操作キーのマスクキー情報が記憶されている。
第２ＣＰＵインタフェース回路３４のレジスタには、予めキー操作部９を用いて設定され、第２制御部４にとってマスクすべき（操作無効とすべき）操作キーのマスクキー情報が記憶されている。
【００２４】
主表示部１２は、上側筐体２２の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部１３は、上側筐体２２の折畳時に外側となる面の中央部に配設され、例えば透過型の液晶表示パネルを有してなり、現在時刻や着信通知等の表示がなされる。
リンガ発生用スピーカ１６は、着信時に着信音を発生する。なお、このリンガ発生用スピーカ１６は、ハンズフリー時にも使用される。
【００２５】
次に、図２及び図４を参照して、上記構成の携帯電話機１の特にキーインタフェース回路の動作について説明する。
判定回路３２は、キースキャン回路３１からキー押下情報ａ１を受け取り、いずれかの操作キーの押下が検出されると（ステップＳＴ１１（図４））、キースキャン回路３１に対してスキャン制御信号ａ２を送ってスキャニング処理を行わせ、押下された操作キーを特定する（ステップＳＴ１２）。なお、ステップＳＴ１１で、いずれの操作キーの入力もない場合は、入力待ち状態が継続される。
次に、判定回路３２は、第１ＣＰＵインタフェース回路３３及び第２ＣＰＵインタフェース回路３４から取得したキーマスク情報ａ３，ａ４に基づいて、押下された操作キーが、第１制御部３又は第２制御部４でマスク設定された（無効扱いとされた）操作キーであるか否か判定する（ステップＳＴ１３）。
【００２６】
ステップＳＴ１３で、押下された操作キーが、マスク設定された操作キーであると判定した場合には、ステップＳＴ１４へ進み、マスク設定されていない操作キーであると判定した場合には、ステップＳＴ１５へ進む。
ステップＳＴ１４では、判定回路３２は、押下された操作キーが第１制御部３及び第２制御部４で共に設定されたマスクキーか否か判定する。ここで、両方の制御部のマスクキーである場合は、キー情報の第１制御部３及び第２制御部４のいずれへの送信も停止し、ステップＳＴ１９へ進み、第１制御部３か第２制御部４かのどちらか一方のマスクキーである場合には、ステップＳＴ１６に進む。
【００２７】
ステップＳＴ１６では、判定回路３２は、押下された操作キーが第１制御部３のマスクキーであるか否か判定する。ここで、第１制御部３のマスクキーであると判定した場合は、ステップＳＴ１７へ進み、第２制御部４のマスクキーであると判定した場合は、ステップＳＴ１８へ進む。
ステップＳＴ１７では、第２ＣＰＵインタフェース回路３４を介して、第２制御部４へキー情報を送信する。すなわち、第２ＣＰＵインタフェース回路３４に割込信号ａ６の送信を促し、対応するキー情報ａ８を送信する。第２ＣＰＵインタフェース回路３４は、第２制御部４へ割込信号ａ６を送信し、キー情報ａ１０を送信する。これにより、第２制御部４は、必要なキー情報ａ１０を取得する。なお、図２中、ａ１２は、第２制御部４から第２ＣＰＵインタフェース回路３４に与えられる制御信号を示している。
ここで、第１制御部３へキー情報の送信は停止され、この場合の操作キー押下に伴う第１制御部３の操作制御処理は行われず休止状態が継続される。
【００２８】
ステップＳＴ１８では、第１ＣＰＵインタフェース回路３３を介して、第１制御部３へキー情報を送信する。すなわち、第１ＣＰＵインタフェース回路３３に割込信号送信ａ５を促し、対応するキー情報ａ７を送信する。第１ＣＰＵインタフェース回路３３は、第１制御部３へ割込信号ａ５を送信し、キー情報ａ９を送信する。これにより、第１制御部３は、必要なキー情報ａ９を取得する。なお、図２中、ａ１１は、第１制御部３から第１ＣＰＵインタフェース回路３３に与えられる制御信号を示している。
ここで、第２制御部４へキー情報の送信は停止され、この場合の操作キー押下に伴う第２制御部４の操作制御処理は行われず休止状態が継続される。
ステップＳＴ１５では、対応するキー情報を第１制御部３及び第２制御部４に送信する。
すなわち、第１ＣＰＵインタフェース回路３３を介して、第１制御部３へキー情報を送信すると共に、第２ＣＰＵインタフェース回路３４を介して、第２制御部４へ同一のキー情報を送信する。
ここで、第１ＣＰＵインタフェース回路３３に割込信号送信を促し、対応するキー情報を送信し、同時に、第２ＣＰＵインタフェース回路３４に割込信号送信を促し、対応するキー情報を送信する。
次に、判定回路３２は、ステップＳＴ１９で、キーが開放されたか否か判定する。ここで、キーが開放されたと判定した場合は、ステップＳＴ１１へ戻って、キー入力待ち状態に入り、キーが開放されていないと判定した場合は、繰り返し判定処理を実行し、キー開放待ち状態が継続される。
【００２９】
このように、この例の構成によれば、キーインタフェース回路１１では、判定回路３２が、第１制御部３及び第２制御部４で予め設定されたキーマスク情報に基づいて、押下された操作キーが第１制御部３（第２制御部４）にとって操作無効とされるマスクキーであるか否かを判定し、操作された操作キーが、マスクキーとされている第１制御部３（第２制御部４）への押下された操作キーのキー情報の送信を停止するので、第１制御部３（第２制御部４）で、マスクキーを設定している場合で、押下された操作キーがこれに該当するときは、キー入力があったとしても、該当する第１制御部３（第２制御部４）は、休止状態（スリープ状態）を保つことができ、この第１制御部３（第２制御部４）に無用な制御処理を実行させることがないので、消費電力の低減に寄与することができる。
また、第１制御部３（第２制御部４）が、押下された操作キーのキー情報を取り込む際に、第１制御部３、第２制御部４間でこのための通信を行う必要がないので、第１制御部３及び第２制御部４の処理速度の向上に寄与することができる。
【００３０】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、制御部（ＣＰＵ）を２つ設けた場合について述べたが、対応するＣＰＵインタフェース回路を追加することによって、３つ以上設ける場合にも適用することができる。
また、記憶部を、第１制御部３、第２制御部４に対応させて、それぞれ専用に設けるようにしても良い。
【００３１】
また、上述した実施例では、通常は（マスクされていない場合は）各操作キーに対して、第１制御部３及び第２制御部４が共に対応して、両制御部に同時にキー情報を送信する場合について述べたが、通常時でも、一方の制御部にのみキー情報が送信される専用の操作キーを含む場合にも適用できる。
また、キー操作部を複数設けるようにしても良いし、所定の機能について、同一機能を実現すための操作キーを複数設けるようにしても良い。
また、判定回路３２は、ＣＰＵやメモリを備えるように構成しても良い。また、マスク情報を第１ＣＰＵインタフェース回路３３及び第２ＣＰＵインタフェース回路３４のレジスタに記憶される場合について述べたが、マスク情報を専用のメモリに記憶させるようにしても良い。例えば、記憶部５に記憶させるようにしても良い。
【００３２】
また、単独の操作キーそれぞれについて、マスクの設定と、キー操作時のその判定を行う場合について述べたが、キーの組み合わせについて設定して、例えば、所定の機能を休止させる目的で、連続したキーの組合せの入力の検出が可能なように構成しても良い。
また、キーマスクをスケジュール管理するようにしても良い。
また、第１制御部で例えば通信制御処理を、第２制御部で例えば表示制御処理を行わせる場合について述べたが、機能分担を厳密に行わせずに、例えば表示制御処理を協働させて行わせるようにしても良い。また、電子機器としての携帯電話機に、例えば、電子カメラユニットを付加して、撮像情報処理を第１制御部又は第２制御部に行わせても良いし、別に第３制御部を追加して、この第３制御部に行わせるようにしても良い。
また、第１制御部及び第２制御部にとってのマスク対象の操作キーは、例えば、電源のオン／オフを行うための操作キー以外の全ての操作キーであっても良い。
【産業上の利用可能性】
【００３３】
携帯端末としては、携帯電話機のほか、簡易型携帯電話（ＰＨＳ）端末や、携帯情報端末（ＰＤＡ）、携帯型のコンピュータを用いる場合に適用できる。また、電子機器として、携帯端末のほか、これ以外のキーボード等の入力装置を有するものに適用できる。
【図面の簡単な説明】
【００３４】
【図１】この発明の一実施例に係る携帯電話機の構成を示すブロック図である。
【図２】同携帯電話機のキーインタフェース回路の構成を示すブロック図である。
【図３】同携帯電話機の構成を示す斜視図である。
【図４】同キーインタフェース回路の動作を説明するためのフローチャートである。
【図５】従来技術を説明するための説明図である。
【符号の説明】
【００３５】
１      携帯電話機（電子機器）
３      第１制御部（制御手段））
４      第２制御部（制御手段））
９      キー操作部（キー入力手段）
１１      キーインタフェース回路
３１      キースキャン回路
３２      判定回路（判定手段）
３３      第１ＣＰＵインタフェース回路
３４      第２ＣＰＵインタフェース回路
【図１】
2005215804.tif 000003
【図２】
2005215804.tif 000004
【図３】
2005215804.tif 000005
【図４】
2005215804.tif 000006
【図５】
2005215804.tif 000007